(57)【特許請求の範囲】
【請求項１】
ケースと、当該ケース内に１次コイルと２次コイルと鉄芯からなる点火コイルを備え、
前記ケースに外部からの電源等を供給するコネクタを配置し、
前記ケースに点火プラグへの高電圧を供給する高圧端子を配置し、
前記ケースのコイル収容部にモールド樹脂を充填した点火装置において、
前記ケース内に第１の点火コイル及び第２の点火コイルを備え、
前記ケースの内側底面に当該第１の点火コイルと当該第２の点火コイルのどちらか一方の高電圧が、他方に流れるのを阻止するための第１のダイオード群と第２のダイオード群を備え、
前記ケースの内側底面に当該第１のダイオード群及び当該第２のダイオード群を埋め込むための溝部を形成し、
前記ケースの内側底面に当該溝部の外周の少なくとも一部に外周溝または外周突部を形成することを特徴とする点火装置。
【請求項２】
前記第１の点火コイルが放電時は前記第２の点火コイルは充電を、前記第１の点火コイルが充電時は前記第２の点火コイルは放電をする動作を交互に行うことを特徴とする請求項１に記載の点火装置。
【請求項３】
前記外周溝または外周突部は前記ケースと前記モールド樹脂の剥離によるクラックの影響を受ける場所に形成することを特徴とする請求項１又は２に記載の点火装置。
【請求項４】
前記外周溝または外周突部は前記溝部の少なくとも外周１周に形成することを特徴とする請求項１乃至３の何れか一項に記載の点火装置。
【請求項５】
前記ケース内側底面に前記外周溝と前記外周突部を組み合わせて形成したことを特徴とする請求項１乃至４の何れか一項に記載の点火装置。
【発明の詳細な説明】
【技術分野】
【０００１】
本発明は、内燃機関用点火装置に関するものである。
【背景技術】
【０００２】
従来よりリーン燃焼や成層燃焼では空燃比にばらつきがあることや点火プラグのくすぶりによって起こるミスファイアを防ぐため、複数の点火コイルを用いて多重点火を行うものがある。しかし、一方の点火コイルの放電時に充電している他方の点火コイルに高電圧が流れ込むため点火コイルが破損する恐れがあり、このような状況においては点火コイルの高出力側にダイオードを配置することが知られている。
【０００３】
上記のように点火装置にダイオード等の電子部品を備える場合、ダイオード等の固定部やリード線が鋭利なことによってクラックが波及することがある。そしてこのような状況においては例えば、特開平０８−０２８４２４号公報（以下「特許文献１」）のような構成とすることが知られている。
【０００４】
上記特許文献１とする点火コイルの二次ボビンの斜視図を図５に示す。図５において特許文献１では、コア１と、このコア１を介して磁束が鎖交する一次コイル３及び二次コイル６と、これらの一次コイル３及び二次コイル６を整列させる一次ボビン２及び二次ボビン５と、この一次ボビン２又は二次ボビン５に固定される中間導体１２と、上記一次ボビン２又は二次ボビン５に固定され上記一次コイル３又は二次コイル６の巻線に接続される端子４ｂと、上記中間導体１２及び上記端子４ｂに電気的に接続される電子部品１３と、上記各部材を収容するケース９と、このケース９内に充填される絶縁樹脂１４とを備えた内燃機関用点火コイルであって、上記電子部品１３のリード線１３ａは、上記中間導体１２及び上記端子４ｂにカシメ又は圧入により固定される。また、電子部品１３の少なくとも一方のリード線１３ａ近傍に、クラック波及防止部材７１，８１が設けられている。さらに、ケースに高電圧取り出し用の開口端が設けられ、この開口端は上記ケース内部側から中間導体１２により封止され、この中間導体１２を高圧端子として外部に高電圧が供給されることを特徴とする内燃機関用点火コイルが提案されている。
【先行技術文献】
【特許文献】
【０００５】
【特許文献１】特開平０８−０２８４２４号公報
【発明の概要】
【発明が解決しようとする課題】
【０００６】
しかしながら、上記従来の点火装置では次のような問題が生じている。即ち、特許文献１の点火コイルでは、二次ボビンに中間導体を備え、二次ボビンと中間導体に電子部品のリード線を圧入する圧入部とクラック波及防止部材を設けており、電子部品の固定を行いクラックの影響も防いでいるが、上記構成では電子部品がケース内側面に近い位置で配置されるため、ケースと絶縁樹脂との密着性が不十分になると、ケースと絶縁樹脂との間隙を介して電子部品からコアにリーク電流が発生し、点火コイルの出力が低下する。
【０００７】
本発明は上記課題に鑑みなされたもので、ケースとモールド樹脂の剥離によるクラックが発生しても、出力不良の原因となるリーク電流の影響を受けない信頼性の高い点火装置を提供することを目的とする。
【課題を解決するための手段】
【０００８】
上記課題を解決するために本発明は次のような構成とする。即ち、請求項１の発明においては、ケースと、当該ケース内に１次コイルと２次コイルと鉄芯からなる点火コイルを備え、前記ケースに外部からの電源等を供給するコネクタを配置し、前記ケースに点火プラグへの高電圧を供給する高圧端子を配置し、前記ケースのコイル収容部にモールド樹脂を充填した点火装置において、前記ケース内に第１の点火コイル及び第２の点火コイルを備え、前記ケースの内側底面に当該第１の点火コイルと当該第２の点火コイルのどちらか一方の高電圧が、他方に流れるのを阻止するための第１のダイオード群と第２のダイオード群を備え、前記ケースの内側底面に当該第１のダイオード群及び当該第２のダイオード群を埋め込むための溝部を形成し、前記ケースの内側底面に当該溝部の外周の少なくとも一部に外周溝または外周突部を形成することを特徴とする点火装置とする。
【０００９】
上記構成においては、前記第１の点火コイルが放電時は前記第２の点火コイルは充電を、前記第１の点火コイルが充電時は前記第２の点火コイルは放電をする動作を交互に行ってもよい。また、前記外周溝または外周突部は前記ケースと前記モールド樹脂の剥離によるクラックの影響を受ける場所に形成してもよいし、前記外周溝または外周突部は前記溝部の少なくとも外周１周に形成してもよい。さらに、前記ケース内側底面に前記外周溝と前記外周突部を組み合わせて形成してもよい。
【発明の効果】
【００１０】
上記の発明によって、ケースとモールド樹脂の剥離によるクラックが発生しても、出力不良の原因となるリーク電流の影響を受けない信頼性の高い点火装置が実現できる。
【図面の簡単な説明】
【００１１】
【図１】本発明の第１の実施例とする点火装置の斜視図である。
【図２】図１の点火装置の矢印（a）方向から見たB-B断面図である。
【図３】本発明の第１の実施例とする点火装置のケースを上方向から見た図である。
【図４】本発明の第１の実施例の変形例とする点火装置の断面図である。
【図５】特許文献１とする点火コイルの二次ボビンの斜視図である。
【発明を実施するための形態】
【００１２】
以下に本発明の実施例の形態を示す実施例を図１乃至４に基づいて説明する。
【実施例１】
【００１３】
本発明の第１の実施例とする点火装置の斜視図を図１に、図１の点火装置の矢印（a）方向から見たB-B断面図を図２に、点火装置のケースを上方向から見た図を図３に、本発明の第２の実施例とする点火装置の断面図を図４に示す。
【００１４】
図１乃至４において、点火装置70の外形を形成するケース50は開口面を一面備える箱型とした一体成形で形成されている。また、当該ケース50には当該点火装置70を図示しないエンジンヘッドに取り付け固定するためのケース固定部52を当該ケース50の開口面と略垂直面に２箇所形成している。さらに、当該ケース50の底面には、２次電圧を点火プラグに供給する高圧端子36を備えるための高圧タワー54がエンジン上部に形成されたプラグホール内に向かって突出するように形成されている。
【００１５】
また、前記ケース50のコイル収容部には、第１の点火コイル80と第２の点火コイル90を備え、当該第１の点火コイル80及び当該第２の点火コイル90はそれぞれ個別に複数の薄板を積層して構成された鉄芯30と、当該鉄芯30の外周に樹脂で形成された１次ボビンの外周に１次巻線を５０ターン前後巻き回した１次コイル10と、当該１次コイル10の外周に樹脂で形成された２次ボビンの外周に２次巻線を３０００ターン前後巻き回した２次コイル20とから構成されている。さらに、当該２次コイル20の高圧側に２次高圧端子24を備え、当該２次コイル20の低圧側に２次低圧端子22を備えている。
【００１６】
また、前記ケース50内側底面に前記第１の点火コイル80と前記第２の点火コイル90の各々にケース側２次高圧端子38を備え、当該それぞれのケース側２次高圧端子38と前記それぞれの２次高圧端子24は電気的に接続している。さらに、前記ケース50内には前記第１の点火コイル80及び前記第２の点火コイル90へ１次電圧及び点火信号を供給するイグナイタ34を前記第１の点火コイル80及び前記第２の点火コイル90に各々に備え、当該イグナイタ34は前記１次コイル10と前記２次低圧端子22に電気的に接続されている。
【００１７】
また、前記ケース50の側面にバッテリ及びＥＣＵとを接続するコネクタ32を前記第１の点火コイル80及び前記第２の点火コイル90に各々に備え、当該それぞれのコネクタ32の一端は前記第１の点火コイル80及び前記第２の点火コイル90の前記１次コイル10と電気的に接続され、当該それぞれのコネクタ32の他端は当該バッテリ及び当該ＥＣＵと電気的に接続している。さらに、前記ケース50内側底面には、前記第１の点火コイル80及び前記第２の点火コイル90のどちらか一方の２次電圧が他方の点火コイルに流れるのを阻止するために、前記第１の点火コイル80には第１のダイオード群40a，40b，40cを備え、前記第２の点火コイル90には第２のダイオード群42a，42b，42cを備えている。
【００１８】
また、前記第１のダイオード群40a，40b，40c及び前記第２のダイオード群42a，42b，42cにはリード線44を備え、前記第１のダイオード群40a，40b，40c及び前記第２のダイオード群42a，42b，42cの当該リード線44を半田付けで接続することで前記第１のダイオード群40a，40b，40c及び前記第２のダイオード群42a，42b，42cを各々直列に３つ繋げて構成されている。さらに、前記第１のダイオード40a及び前記第２のダイオード42aのアノード端子側の前記リード線44は、１つに結合され、前記高圧端子36と電気的に接続されている。
【００１９】
また、前記第１のダイオード40cのカソード端子側の前記リード線44は前記第１の点火コイル80の前記ケース側２次高圧端子38と電気的に接続され、前記第２のダイオード42cのカソード端子側の前記リード線44は前記第２の点火コイル90の前記ケース側２次高圧端子38と電気的に接続されている。さらに、前記ケース50内側底面には前記第１のダイオード群40a，40b，40c及び前記第２のダイオード群42a，42b，42cを備えるための溝部56を形成している。
【００２０】
また、前記溝部56には前記第１のダイオード群40a，40b，40c及び前記第２のダイオード群42a，42b，42cの前記リード線44を挟んで固定するための略Ｕ字型のリード線固定部59を前記第１のダイオード群40a，40b，40c及び前記第２のダイオード群42a，42b，42cの各ダイオードの両端に１箇所ずつ、合計で１２箇所形成し、当該リード線固定部59の前記リード線44の挿入口を面取りしている。さらに、前記溝部56は前記第１のダイオード群40a，40b，40cと前記第２のダイオード群42a，42b，42c、当該リード線固定部59が前記ケース50底面から出ない深さに形成されている。
【００２１】
また、前記ケース50内側底面には外周溝57が形成され、当該外周溝57は前記第１のダイオード群40a，40b，40cと前記第２のダイオード群42a，42b，42c、前記リード線固定部59を備えた前記溝部56と前記それぞれのケース側２次高圧端子38、前記高圧端子36、前記リード線44の外周全周を囲う如く形成されている。さらに、当該外周溝57は前記溝部56の幅の３分の１前後の幅で形成され、当該外周溝57は前記溝部56の深さと等しい深さで形成されている。
【００２２】
また、前記ケース50内には前記点火装置70の電気的絶縁及び各部材の物理的固定を実現する如く熱硬化性のモールド樹脂60が充填されている。さらに、前記第１の点火コイル80及び前記第２の点火コイル90から出力される２次電圧は前記高圧端子36から前記プラグホール内に収容された導電部材を介して前記点火プラグへ供給されている。
【００２３】
なお上記実施例の変形例として、前記外周溝57の構成及び形成位置は、例えば前記ケース50と前記モールド樹脂60の剥離によるクラックの影響を受ける場所であれば任意に変更してもよいし、前記外周溝57は前記第１のダイオード群40a，40b，40cと前記第２のダイオード群42a，42b，42c、前記リード線固定部59を備えた前記溝部56と前記それぞれのケース側２次高圧端子38、前記高圧端子36、前記リード線44の外周に２周以上形成してもよい。また、前記外周溝57は前記第１のダイオード群40a，40b，40cと前記第２のダイオード群42a，42b，42c、前記リード線固定部59を備えた前記溝部56と前記それぞれのケース側２次高圧端子38、前記高圧端子36、前記リード線44の何れかに形成する構成としてもよい。さらに、前記外周溝57の換わりに前記ケース50内側底面から鉛直方向に突出する外周突部58を形成してもよいし、前記外周溝57と当該外周突部58を組み合わせた構成としてもよい。
【符号の説明】
【００２４】
10：１次コイル
20：２次コイル
22：２次低圧端子
24：２次高圧端子
30：鉄芯
32：コネクタ
34：イグナイタ
36：高圧端子
38：ケース側２次高圧端子
40a、40b、40c：第１のダイオード
42a、42b、42c：第２のダイオード
44：リード線
50：ケース
52：ケース固定部
54：高圧タワー
56：溝部
57：外周溝
58：外周突部
59：リード線固定部
60：モールド樹脂
70：点火装置
80：第１の点火コイル
90：第２の点火コイル
【図１】
0005695363.tif 000002
【図２】
0005695363.tif 000003
【図３】
0005695363.tif 000004
【図４】
0005695363.tif 000005
【図５】
0005695363.tif 000006